(57)【要約】【課題】  構成を複雑化させることなく、昇降具を下降させる時に確実に回生電流を得ることができるようにすることを目的とする。【解決手段】  車体１に昇降可能に支持された運転台３に搭載された積荷及び運転台３自体の位置エネルギを利用して、電力を回生するように構成されたリフトトラックの制御装置において、運転台３の下降速度を回生電流値が所定値Ｘ以上となる速度に設定することにより、運転台３を下降させる時に確実に回生が行なわれるようにする。【選択図】  図１
2005219911.tif 000002
【特許請求の範囲】
【請求項１】
車体に昇降可能に支持された昇降具の位置エネルギを利用して、電力を回生するように構成されたリフトトラックの制御装置において、
上記昇降具の下降速度が、少なくとも回生電流値が所定値以上となる速度に設定されることを特徴とするリフトトラックの制御装置。
【請求項２】
上記昇降具の下降を多段階的に操作する操作具が操作されるのに従い、上記下降速度を制御する速度制御手段を備え、
上記速度制御手段が、上記昇降具の最低の下降速度に対応する上記操作具の第１段の操作に従って、上記下降速度を回生電流値が所定値以上である下降目標速度となるように制御することを特徴とする請求項１に記載のリフトトラックの制御装置。
【発明の詳細な説明】
【技術分野】
【０００１】
本発明は、車体に昇降具を備えるリフトトラックの制御装置に関する。
【背景技術】
【０００２】
リフトトラックでは、積荷が搭載されるフォーク、積荷と共に運転者が搭乗できる運転台、作業員が搭乗する作業台等の昇降具が、車体に昇降可能に支持されている。昇降具としてフォークが昇降可能に支持されるフォークリフトトラックにおいて、フォークの下降速度は、後掲する特許文献１に開示しているようにレバー操作により連続的に制御される場合と、後掲する特許文献２に示すようなスイッチを用いて段階的に制御される場合がある。
【０００３】
ところで、フォークリフトトラックにおいて、フォークの下降時にフォークや積荷などの位置エネルギを利用して電力を回生しバッテリを充電する、いわゆる下降時回生技術を採用することがあるが、下降速度が低い場合、下降速度を制御するために反って多量の電力が消費されるという問題がある。この問題を解決するために、例えば後掲する特許文献３のように、下降速度が低い場合には回生を行なわないようにする技術が提案されている。
【０００４】
【特許文献１】特開平７−１７６９９号公報
【特許文献２】特開２００２−３４８０９８号公報
【特許文献３】特開２００３−２５２５８６号公報
【発明の開示】
【発明が解決しようとする課題】
【０００５】
さて、特許文献３の技術においては、フォークの下降時に回生と非回生に状態を切替える電磁弁や、この電磁弁を制御する制御装置が必要であるので、部品点数が多く、構成が複雑になるため、高価になるという課題がある。
【０００６】
本発明は、この従来技術の課題を解決し、構成を複雑化させることなく、フォークなどの昇降具を下降させる時に確実に回生電流を得ることができるようにすることを目的とする。
【課題を解決するための手段】
【０００７】
この目的を達成するため、本発明は、車体に昇降可能に支持された昇降具の位置エネルギを利用して、電力を回生するように構成されたリフトトラックの制御装置において、上記昇降具の下降速度が、少なくとも回生電流値が所定値以上となる速度に設定されることを特徴とする技術的手段を採用するものである。もちろん、ここでいう所定値とは０よりも大きな値である。
【０００８】
これによれば、昇降具の下降速度が、回生電流値が所定値以上となる速度であるので、昇降具の下降時には確実に回生電流を得ることができる。更に、回生／非回生の切替えをする必要がないので、回生／非回生の切替えをするための電磁弁、これを介在させた複雑な還流路、及び電磁弁を制御する制御装置などを設ける必要がなく、構成を簡単にすることができ、安価に製造できる。
【０００９】
本発明においては、上記昇降具の下降を多段階的に操作する操作具が操作されるのに従い、上記下降速度を制御する速度制御手段を備え、上記速度制御手段が、上記昇降具の最低の下降速度に対応する上記操作具の第１段の操作に従って、上記下降速度を回生電流値が所定値以上である下降目標速度となるように制御することを特徴とする技術的手段を採用することができる。
【００１０】
これによれば、操作具の最低の下降速度に対応する第１段の操作はもちろんのこと、これよりも下降速度の速い第２段、第３段といった操作についても、確実に所定値以上の回生電流を得ることができる。尚、昇降具の下降を多段階的に操作する操作具は、車体に設けられても、昇降具に設けられてもよい。又、操作具の操作の段階は少なくとも２段以上であればよく、例えば数百段として実質上、連続的な操作がなされる操作具であってもよい。
【発明の効果】
【００１１】
以上に説明したように、本発明によれば、簡単な構成でありながら、昇降具の下降時には確実に所定値以上の回生電流を得ることができる。
【発明を実施するための最良の形態】
【００１２】
図２は本発明の実施例に係るリフトトラックの斜視図である。図２に示すように、このリフトトラックはオーダピッキングトラックと呼ばれるフォークリフトトラックの一種であり、車体１の前後方向中央部に立設されたマスト２に運転台３が昇降可能に支持され、マスト２に設けた左右のリフトシリンダ４により運転台３を昇降させる。又、この運転台３の下側には、車体１の後方に向けて左右のフォーク５が固定されている。
【００１３】
図２に示すように、運転台３は、運転者が搭乗するフロア３１と、フロア３１の前端部の左右各隅部から立ち上げた左右の隅柱３２と、左右の隅柱３２の上端に固定され、フロア３１の上方に配置されるヘッドガード３３と、左右両隅柱３２の中間高さ部に固定されたインストルメントパネル３４を備え、このインストルメントパネル３４に、ステアリングハンドル６と操作具ユニット７が設けられる。
【００１４】
操作具ユニット７は、図３の正面図に示すように、インストルメントパネル３４に固定される取付枠７１と、該取付枠７１に左右軸心回りに回転可能に支持させたアクセラレータ７２と、アクセラレータ７２に連結された支持枠７３と、この支持枠７３に組付けられた上昇操作具７４及び下降操作具７５を備える。上昇操作具７４は２段押しボタンスイッチからなり、この上昇操作具７４を押すと先ず低速上昇指令を生成し、更に上昇操作具７４を押し込むと高速上昇指令を生成するように構成されている。又、下降操作具７５も２段押しボタンスイッチからなり、この下降操作具７５を押すと先ず低速下降指令を生成し、更に下降操作具７５を押し込むと高速下降指令を生成するように構成されている。
【００１５】
図４はこの実施例の回路図である。図４に示すように、油圧回路８は、作動油タンク８１、油圧ポンプ８２、リフトバルブ８３、及びこれらを接続する油圧配管８４から構成され、リフトバルブ８３とリフトシリンダ４とを接続する配管部分（後述する第３配管部分８４３の一部）を除き、車体１に設けられる。尚、図４に示す１０は、油圧ポンプ８２に直結されたモータであり、同じく車体１に設けられる。
【００１６】
リフトバルブ８３は、油圧ポンプ８２からリフトシリンダ４方向へは自由に作動油が流れ、リフトシリンダ４から油圧ポンプ８２方向へは作動油が流れないように逆止弁が設けられた逆止流路８３１と、リフトシリンダ４から油圧ポンプ８２方向へ自由に作動油が流れる直結流路８３２とを備える電磁弁からなり、油圧ポンプ８２とリフトシリンダ４を逆止流路８３１で接続する状態（以下、逆止状態という。）と、直結流路８３２で接続する状態（以下、直結状態という。）のいずれかに切替えられる。
【００１７】
油圧配管８４は、作動油タンク８１と油圧ポンプ８２を接続する第１配管部分８４１、油圧ポンプ８２とリフトバルブ８３を接続する第２配管部分８４２、及びリフトバルブ８３とリフトシリンダ４を接続する第３配管部分８４３を備えている。この第３配管部分８４３は分岐配管で構成され、その分岐点と一方のリフトシリンダ４の間に、左右のリフトシリンダ４の伸縮を同期させるためにヒューズバルブ８５を介在させてある。
【００１８】
一方、車体１に搭載された制御装置９には、図４に示すように、上昇操作具７４、下降操作具７５から上昇指令（低速、高速）、下降指令（低速、高速）が入力され、これに従って制御装置９は、リフトバルブ８３のソレノイドとモータ１０とを制御する。尚、モータ１０には回転数を検出する回転センサ１１が付設されており、この回転センサ１１の出力も制御装置９に入力される。
【００１９】
上昇操作具７４及び下降操作具７５が共に操作されない時には、制御装置９は、モータ１０への電力の供給を停止させ、リフトバルブ８３を逆止状態にして、リフトシリンダ４を下降ロックする。
【００２０】
上昇操作具７４を浅く押した場合には、制御装置９は、上昇操作具７４から与えられた低速上昇指令に基づいて、リフトバルブ８３を逆止状態にし、予め定められている上昇目標速度に対応した回転数でモータ１０を力行制御する。
【００２１】
上昇操作具７４を深く押し込んだ場合には、制御装置９は、リフトバルブ８３を逆止状態としたまま、上昇操作具７４から与えられた高速上昇指令に基づいて、予め定められている上昇目標速度に対応した回転数でモータ１０を力行制御する。
【００２２】
一方、下降操作具７５を浅く押した場合には、制御装置９は、下降操作具７５から与えられた低速下降指令に基づいて、リフトバルブ８３を直結状態にし、予め定められている下降目標速度Ｖ１に対応した回転数でモータ１０を回生制御する。ここで重要なことは、図１に示すように、下降目標速度Ｖ１が所定値Ｘ（０よりも大きな値）の回生電流を得ることができる速度に設定されていることであり、こうすることにより得られる回生電流値が所定値Ｘを下回ることを確実に防止することができる。尚、このような制御装置９の処理が、本発明における速度制御手段に相当する。
【００２３】
下降操作具７５を深く押し込んだ場合には、制御装置９は、リフトバルブ８３を直結状態としたまま、下降操作具７５から与えられた高速下降指令に基づいて、予め定められている下降目標速度Ｖ２に対応した回転数でモータ１０を回生制御する。ここで、高速下降目標速度Ｖ２は、当然のことながら所定値Ｘよりも大きな回生電流を得ることができる速度に設定されている。
【００２４】
以上のように構成すれば、下降操作具７５を浅く押した場合でも、下降操作具７５を深く押し込んだ場合でも、運転台３を下降させる時には常に所定値Ｘ以上の回生電流を得ることができるようになる。もちろん、運転台３を下降させる時に回生状態と非回生状態に切替える油圧回路などは不要なので、構成が複雑化することはなく、安価に製造することができる。
【００２５】
尚、この実施例では下降速度を低速と高速の２段階で制御しているが、２段以上のスイッチを用いて制御する場合や、レバー操作により多段階で制御する場合にも本発明を適用することができる。又、オーダーピッキングトラックに限らず、他の形態のフォークリフトトラックやリフトトラックにも本発明を適用することができる。
【図面の簡単な説明】
【００２６】
【図１】本発明の制御特性図である。
【図２】本発明の斜視図である。
【図３】本発明の操作具ユニットの正面図である。
【図４】本発明の回路図である。
【符号の説明】
【００２７】
１  車体
２  マスト
３  運転台
４  リフトシリンダ
５  フォーク
７  操作具ユニット
７５  下降操作具
８  油圧回路
９  制御装置
１０  モータ
【図１】
2005219911.tif 000003
【図２】
2005219911.tif 000004
【図３】
2005219911.tif 000005
【図４】
2005219911.tif 000006